(57)【特許請求の範囲】
【請求項１】
自動販売機が販売する商品と酷似する外観形状に形成され、該商品の軸芯を中心として前後に２つ割りしてなる縦断半割り形状の半割り型見本であって、
前記自動販売機の見本陳列部に設置される見本体の縁部と、前記商品に関連する販売促進情報が印刷されたシート状の販売促進体の端部とが対向する部分に、前記見本体に対し前記販売促進体を取り付けるための販売促進体取付け部を備え、
前記販売促進体取付け部を、
前記見本体の縁部に形成した一対の支持部と、前記販売促進体の端部に形成した前記支持部の間に差し込まれる差込み片とで構成し、
前記一対の支持部を、前記見本体の前後方向と平行して、前記差込み片が前後方向に向けて差込み許容される上下間隔に隔てて形成し、
前記一対の支持部の間、及び前記差込み片の幅を、前記見本体の前後方向と平行して前端側から後端側に向けて略同一となるように形成した
半割り型見本の販売促進体取り付け構造。
【請求項２】
前記販売促進体取付け部を、
前記見本体の一側縁部と前記販売促進体の一側端部とが対向する部分に形成した
請求項１に記載の半割り型見本の販売促進体取り付け構造。
【請求項３】
前記販売促進体取付け部を、
前記見本体の両側縁部と前記販売促進体の両側端部とが対向する部分に形成した
請求項１に記載の半割り型見本の販売促進体取り付け構造。
【発明の詳細な説明】
【技術分野】
【０００１】
この発明は、自動販売機が販売する商品の選択購入、販売促進、宣伝広告、注目度等の訴求力を高めるために用いられる半割り型見本の販売促進体取り付け構造に関する。
【背景技術】
【０００２】
従来、前記商品の半割り型見本を陳列する方法としては、例えば半割り状に形成された本体の縁部に、広告用の図柄やキャッチコピーが印刷された広告用シートを一体的に連設してなる特許文献１の自動販売機用のダミー体および自動販売機と、表示片の上下両側に連設された一対の掛止片を重ね合わせてなる掛止孔に、円筒状又は半割状を有する商品見本の蓋部を挿通して掛止する特許文献２の自動販売機用商品見本広告シートがある。
【０００３】
しかし、特許文献１の広告用シートに印刷された広告文や図柄を変更する場合、ダミー体の全体を、別の広告文や図柄が印刷されたダミー体に取り替えなければならず、商品見本体の取り替え作業に手間及び時間が掛かる。また、広告文や図柄を変更する度に、ダミー体を新規製作しなければならず、販売促進に要する費用負担が大きくなる。
【０００４】
また、特許文献２の商品見本広告シートは、一対の掛止片に、商品見本の蓋部下端に対し係止される複雑な掛止孔を加工しなければならず、シートの加工に要する費用及びコストが掛かる。また、各掛止片の掛止孔が一致するように、一対の掛止片を重ね合わせた折り曲げ状態で商品見本の蓋部に取り付けなければならず、商品見本広告シートの取り付け作業に手間が掛かる。
【先行技術文献】
【特許文献】
【０００５】
【特許文献１】実用新案登録第３０９１４９９号
【特許文献２】特開２００５−２６７２０２
【発明の概要】
【発明が解決しようとする課題】
【０００６】
この発明は、自動販売機が販売する商品に関連した販売促進情報の表示及び変更が簡単且つ容易に行え、販売促進に要する費用及びコストの低減を図ることができる半割り型見本の販売促進体取り付け構造を提供することを目的とする。
【課題を解決するための手段】
【０００７】
この発明は、自動販売機が販売する商品と酷似する外観形状に形成され、該商品の軸芯を中心として前後に２つ割りしてなる縦断半割り形状の半割り型見本であって、前記自動販売機の見本陳列部に設置される見本体の縁部と、前記商品に関連する販売促進情報が印刷されたシート状の販売促進体の端部とが対向する部分に、前記見本体に対し前記販売促進体を取り付けるための販売促進体取付け部を備え、前記販売促進体取付け部を、前記見本体の縁部に形成した一対の支持部と、前記販売促進体の端部に形成した前記支持部の間に差し込まれる差込み片とで構成し、前記一対の支持部を、前記見本体の前後方向と平行して、前記差込み片が前後方向に向けて差込み許容される上下間隔に隔てて形成し、前記一対の支持部の間、及び前記差込み片の幅を、前記見本体の前後方向と平行して前端側から後端側に向けて略同一となるように形成した半割り型見本の販売促進体取り付け構造であることを特徴とする。
【０００８】
この発明の態様として、前記販売促進体取付け部を、前記見本体の一側縁部と前記販売促進体の一側端部とが対向する部分に形成することができる。
【０００９】
また、この発明の態様として、前記販売促進体取付け部を、前記見本体の両側縁部と前記販売促進体の両側端部とが対向する部分に形成することができる。
【００１０】
前記半割り型見本は、例えば真空成形、加圧成形、ブロー成形、押出し成形等の成形方法で成形することができる。
【００１１】
自動販売機が販売する商品の一例として、例えば缶型、瓶型、ボトル型、箱型等の商品と酷似する外観及び意匠に形成された縦断半割り形状(例えば半円筒形状、半矩形状等)に構成することができる。
【００１２】
半割り型見本及び販売促進体は、例えばポリアセタール、ポリプロピレン、ポリエチレン、ポリエステル、ポリカーボネード、アクリル等の透光性を有するプラスチック、或いは、透明なプラスチックや着色された半透明なプラスチックで構成することができる。
【００１３】
販売促進体は、透光性及び柔軟性を有するプラスチック製のシートで構成することができる。また、販売促進体の裏面又は表面には、例えば新発売、キャンペーン中、キャッチコピー、メッセージなどの宣伝広告文、或いは、宣伝広告用の商標、文字、模様、図柄、入替中等の販売促進する商品に関連した販売促進情報が印刷されているが、例えば茶葉、茶畑、花、樹木などの植物、或いは、空、海、山、川等の自然、或いは、犬、猫、鳥、人などの動物等を印刷することができる。
【００１４】
販売促進体の正面から見た形状は、前記宣伝広告文、販売促進情報、植物、自然、動物等と酷似する外観形状に形成することができる。  
また、商品に関連する販売促進情報や販売イメージに対応して、例えば星形、花形、楕円形、菱形、ハート形、雲形、卵形、或いは、正方形、矩形、三角形、五角形、六角形等の所望する大きさ及び形状に形成してもよい。
【００１５】
販売促進体取付け部は、例えば見本体に形成された係止部、突起、支持部等で構成することができる。また、見本体の係止部、突起、支持部には、販売促進体に形成された係止溝、孔部、差込み片等がそれぞれ係止される
【発明の効果】
【００１６】
この発明によれば、見本体の縁部に形成された販売促進体取付け部に、商品に関連した販売促進情報が印刷された販売促進体を取り付けるので、販売促進体に複雑な加工を施したり、別部品を用いる必要がなく、半割り型見本に対しシート状の販売促進体を取り付ける作業が簡単且つ容易に行える。
【００１７】
また、見本陳列部に陳列された他の見本に比べて、販売促進体が装着された半割り型見本の方が目立つことになるので、自動販売機に近づく人や商品を購入しようとする人の注目を引くことができ、注目度の高い商品が積極的に選択及び購入されやすく、商品の販売促進、売上向上を図ることができる。
【図面の簡単な説明】
【００１８】
【図１】半割り型見本の設置状態を示す自動販売機の正面図。
【図２】販売促進体の取り付け構造を示す斜視図。
【図３】図２の販売促進体の取り付け状態を示す正面図。
【図４】半割り型見本の設置構造を示す底面斜視図。
【図５】半割り型見本の設置構造を示す中央縦断側面図。
【図６】図２の構造を用いた販売促進体の他の取り付け例を示す正面図。
【図７】販売促進体の他の取り付け構造を示す斜視図。
【図８】図７の構造を用いた販売促進体の他の取り付け例を示す斜視図。
【図９】販売促進体のその他の取り付け構造を示す斜視図。
【図１０】図９の販売促進体の取り付け状態を示す正面図。
【図１１】図９の構造を用いた販売促進体の他の取り付け例を示す正面図。
【図１２】販売促進体のその他の取り付け構造を示す斜視図。
【図１３】図１２の販売促進体の取り付け状態を示す正面図。
【図１４】図１２の構造を用いた販売促進体の他の取り付け例を示す正面図。
【図１５】販売促進体のその他の取り付け構造を示す斜視図。
【図１６】図１５の販売促進体の取り付け状態を示す正面図。
【図１７】図１５の構造を用いた販売促進体の他の取り付け例を示す正面図。
【図１８】販売促進体のその他の取り付け構造を示す斜視図。
【図１９】販売促進体の他の取り付け例を示す斜視図。
【図２０】垂下型の販売促進体を取り付ける他の取り付け構造を示す斜視図。
【図２１】図２０の販売促進体を取り付ける他の取り付け構造を示す斜視図。
【発明を実施するための形態】
【実施例】
【００１９】
図１は、半割り型見本１の設置状態を示す自動販売機Ａの正面図、図２は、販売促進体１０の取り付け構造を示す斜視図、図３は、図２の販売促進体１０の取り付け状態を示す正面図、図４は、半割り型見本１の設置構造を示す底面斜視図、図５は、半割り型見本の設置構造を示す中央縦断側面図である。
【００２０】
実施例の販売促進体１０は、図１に示す自動販売機Ａの見本陳列部Ａａに設置される半割り型見本１の正面から見て右側前面に取り付けられ、該自動販売機Ａが販売する商品の選択購入、販売促進、宣伝効果、注目度等の訴求力を高める際にＰＯＰ広告として用いられるものである。
【００２１】
見本陳列部Ａａの陳列パネルＡｂには、図４、図５に示すように、半割り型見本１を起立状態に取り付けるための開口部Ａｃが、陳列パネルＡｂの陳列面に沿って所定間隔に隔てて複数配列されている。
【００２２】
開口部Ａｃの前後対向周縁部には、後述する挿入部３の係止部７を係止するための切欠き部Ａｄが、開口部Ａｃの中心を基準として前後対称位置に形成されている。
【００２３】
開口部Ａｃの左右対向周縁部には、挿入部３の突起８を係止するための溝部Ａｅが、開口部Ａｃの中心を基準として左右対称位置に形成されている。
【００２４】
半割り型見本１は、図２、図３に示すように、自動販売機Ａが販売する商品の一例として、ペットボトル型の商品と酷似する外観及び意匠に形成された見本体２が、透光性及び柔軟性を有するプラスチック製のシートを用いて図示しない真空成形装置によって真空成形されている。
【００２５】
見本体２は、自動販売機Ａが販売するペットボトル型の商品の軸芯を中心として、該商品を前後に２つ割りしてなる縦断半割り形状に形成されている。  
見本体２の裏面側には、自動販売機Ａが販売するペットボトル型の商品に印刷された表示内容と同一か、或いは、該表示内容と酷似する内容（例えば商標、文字、模様、図柄、色彩等）の印刷パターンが印刷されている。
【００２６】
見本体２の底面側には、図４、図５に示すように、見本陳列部Ａａの陳列パネルＡｂに開口された平面視丸形状の開口部Ａｃに対し挿入される横断面視半円形状の挿入部３が一体的に形成されている。また、挿入部３の底面は、平面視半円形状に形成された底板４で閉塞されている。
【００２７】
挿入部３の下端部外周面には、開口部Ａｃの下面側周縁部に係止される鍔部５が挿入部３の外周面に沿って円周方向に連続して形成されている。また、鍔部５は、挿入部３の下端側から上端側に向けて徐々に大径となるように傾斜されている。
【００２８】
挿入部３の鍔部５より上側外周面には、開口部Ａｃの前側周縁部に係止される溝部６が挿入部３の外周面に沿って円周方向に連続して形成されている。また、溝部６の外径は、開口部Ａｃの内径と同一に形成されている。
【００２９】
挿入部３の底面から見て左側斜め外周面には、開口部Ａｃの左側斜め縁部に形成された切欠き部Ａｄと合致する大きさ及び形状の係止部７が、該挿入部３の左側斜め前方に向けて突出されている。
【００３０】
挿入部３の両側外周面には、開口部Ａｃの両側縁部に形成された溝部Ａｅと合致する大きさ及び形状の突起８が、該挿入部３の左右方向に向けて形成されている。
【００３１】
見本体２の前側下部底面には、陳列パネルＡｂの前側上面に対し押し当てられる当接部９が前方に向けて２箇所形成されている。また、鍔部５と当接部９の間は、陳列パネルＡｂの板厚よりも狭くなる間隔に近接されている。
【００３２】
つまり、見本体２の挿入部３を、陳列パネルＡｂの開口部Ａｃに対し垂直に挿入した際に、挿入部３の鍔部５が開口部Ａｃの下面側周縁部に係止され、挿入部３の溝部６が開口部Ａｃの前側周縁部に係止される。また、挿入部３の係止部７と突起８が、開口部Ａｃの切欠き部Ａｄと溝部Ａｅに係合され、鍔部５と当接部９の間に陳列パネルＡｂが挟み込まれる。
【００３３】
これにより、半割り型見本１が、自動販売機Ａの正面と対応して見本体２の表面側が正面向きとなるように、見本陳列部Ａａの陳列パネルＡｂに対し起立した状態に設置固定される（図５参照）。
【００３４】
見本体２の右側縁部（一側縁部）には、後述する販売促進体１０の差込み片１０ａを支持するための支持部１２，１２が前後方向に平行して形成されるとともに、該差込み片１０ａが前後方向に向けて差込み許容される上下間隔に隔てて配置されている。
【００３５】
支持部１２，１２は、前記真空成形装置によって見本体２を真空成形する際に、該見本体２の右側縁部から外側径方向に向けて張り出すように形成されている（図２のａ部に示す拡大縦断面図参照）。
【００３６】
支持部１２，１２の間は、前端側から後端側に向けて同一となる差し込み幅に形成され、差込み片１０ａが前後方向に向けて水平に差し込まれた状態に保持される間隔に隔てられている。
【００３７】
支持部１２，１２は、見本体２の右側縁部から外側に向けて張り出すように形成された幅狭部１２ａと、該幅狭部１２ａの突出側に形成された幅広部１２ｂとで構成されている。
【００３８】
支持部１２の幅広部１２ｂは、見本体２の前後方向から見て滑らかな楕円形状又は半円形状に形成され、該見本体２の側面から見て横長形状に形成されている。
【００３９】
支持部１２，１２の幅狭部１２ａ，１２ａの対向面間は、後述する差込み片１０ａが幅方向に挟持される間隔に形成されている。また、幅広部１２ｂ，１２ｂの対向縁部間は、差込み片１０ａの上下縁部が係止される間隔に形成されている。
【００４０】
前記販売促進体１０は、図２に示すように、透光性及び柔軟性を有するプラスチック製のシートによって正面から見て矩形に形成されている。また、販売促進体１０の裏面側には、前記商品に関連した販売促進情報（例えば新発売、キャンペーン中、キャッチコピー、メッセージなどの宣伝広告文、或いは、宣伝広告用の商標、文字、模様、図柄、入替中等）が印刷されている。
【００４１】
販売促進体１０の右側端部（一側端部）には、前記支持部１２，１２の幅狭部１２ａ，１２ａ間に対し前後方向に向けて差し込むための差込み片１０ａが連設されている。  
差込み片１０ａは、支持部１２，１２の幅狭部１２ａ，１２ａの対向面間より幅狭に形成され、幅広部１２ｂ，１２ｂの対向縁部間より幅広に形成されている。
【００４２】
なお、差込み片１０ａの差込み側端部を、支持部１２，１２の幅狭部１２ａ，１２ａ間より幅広に形成すれば、差込み片１０ａを、支持部１２，１２間に対し差し込まれた状態に抜止めすることができる。
【００４３】
前記半割り型見本１の正面から見て右側前面に販売促進体１０を取り付ける場合、先ず、図２、図３に示すように、販売促進体１０を、商品に関連した販売促進情報が印刷された表示面が正面向きとなるように保持して、販売促進体１０の差込み片１０ａを後方に向けて直角に折り曲げ、見本体２の支持部１２，１２間に対し前方から後方に向けて水平に差し込む。
【００４４】
これにより、差込み片１０ａの上下縁部が、支持部１２，１２の幅広部１２ｂ，１２ｂに係止されることになり、販売促進体１０を、半割り型見本１の正面から見て右側前面に対し商品に関連した販売促進情報が印刷された表示面が正面向きとなるように取り付けることができる。  
なお、支持部１２，１２を、見本体２の左側縁部に形成しておけば、販売促進体１０を、半割り型見本１の左側前面に取り付けることができる。
【００４５】
次に、図４、図５に示すように、販売促進体１０が取り付けられた半割り型見本１を、自動販売機Ａの前面と対応して見本体２の表面が正面向きとなるように、見本陳列部Ａａの陳列パネルＡｂに対し略鉛直に起立した状態に設置固定する（図１参照）。
【００４６】
つまり、自動販売機Ａの見本陳列部Ａａに設置される半割り型見本１の前面に、商品に関連した販売促進情報が印刷された販売促進体１０を取り付けるだけで、見本陳列部Ａａに陳列された他の見本に比べて、販売促進体１０が装着された半割り型見本１或いは見本体２に形成された見本部４Ａ，４Ｂが目立つことになる。
【００４７】
これにより、注目度の高い商品が積極的に選択及び購入されやすく、商品の販売促進、売上向上を図ることができる。また、半割り型見本１の前面に販売促進体１０を取り付けるだけであるので、商品に関連した販売促進情報の表示及び変更が簡単且つ容易に行える。また、幅広見本１全体を交換する必要がなく、販売促進に要する費用及びコストの低減を図ることができる。
【００４８】
販売促進体１０の差込み片１０ａを、見本体２の係止部１２，１２に差し込むだけの簡単な取り付け構造であるので、半割り型見本１から販売促進体１０を取り外す作業や、別の販売促進情報が印刷された販売促進体１０の取り換える作業が簡単且つ容易に行える。
【００４９】
また、販売促進体１０に複雑な加工を施したり、別部品を用いて取り付ける必要がなく、半割り型見本１に対し販売促進体１０を取り付ける作業が簡単且つ容易に行える。
【００５０】
図６は、図２の取り付け構造を利用して、半割り型見本１の中央前面に、見本体２の横幅と対応する長さに形成された販売促進体１０を取り付ける他の取り付け例を示す正面図である。
【００５１】
つまり、販売促進体１０の両側端部に連設された左右一対の差込み片１０ａを後方に向けて直角に折り曲げ、見本体２の両側縁部に形成された上下一対の支持部１２，１２間に対し正面側から差し込む。
【００５２】
これにより、見本体２の横幅と対応する長さに形成された販売促進体１０が、半割り型見本１の中央前面に対し幅方向に取り付けられるので、前記実施例と略同等の作用及び効果を奏することができる。
【００５３】
また、販売促進体１０の両側端部に連設された差込み片１０ａを、見本体２の両側縁部に形成された支持部１２，１２によって支持するので、前記実施例の販売促進体１０の一側端部を支持する取り付け構造に比べて、販売促進体１０の角度及び位置が変位しにくく、安定した状態に取り付けることができる。  
また、支持部１２，１２を、見本体２の両側縁部に形成しておけば、販売促進体１０を、半割り型見本１の右側前面或いは左側前面に取り付けることができる。
【００５４】
図７は、見本体２の右側縁部に形成された突起１４を、販売促進体１０の右側端部に連設された支持片１０ｂの孔部１３に差し込んで取り付ける他の取り付け構造を示す斜視図である。
【００５５】
つまり、販売促進体１０の右側端部に連設された支持片１０ｂを後方に向けて直角に折り曲げ、該支持片１０ｂの端部に形成された上下一対の孔部１３に、見本体２の右側縁部に形成された上下一対の突起１４を差し込む。  
これにより、図３と同様に、正面から見て矩形の販売促進体１０が、半割り型見本１の右側前面に取り付けられるので、前記実施例と略同等の作用及び効果を奏することができる。
【００５６】
なお、孔部１３は、支持片１０ｂの平面と直交する方向から見て丸形に形成されている。また、突起１４は、見本体２の前後方向から見て滑らかな楕円形状又は球面形状に形成されている。  
また、突起１４を、見本体２の左側縁部に形成しておけば、販売促進体１０を、半割り型見本１の左側前面に取り付けることができる。  
突起１４は、前記支持部１２と略同一の断面形状に形成されており、前記真空成形装置によって見本体２を真空成形する際に、該見本体２の右側縁部から外側径方向に向けて張り出すように形成されている（図７のｂ部に示す拡大縦断面図参照）。
【００５７】
図８は、図７の取り付け構造を利用して、半割り型見本１の中央前面に、見本体２の横幅と対応する長さに形成された販売促進体１０を取り付ける他の取り付け例を示す斜視図である。  
つまり、販売促進体１０の両側端部に連設された左右一対の支持片１０ｂを後方に向けて直角に折り曲げ、該支持片１０ｂの端部に形成された上下一対の孔部１３に、見本体２の両側縁部に形成された上下一対の突起１４を差し込む。
【００５８】
これにより、図６と同様に、見本体２の横幅と対応する長さに形成された販売促進体１０が、半割り型見本１の中央前面に対し幅方向に取り付けられるので、前記実施例と略同等の作用及び効果を奏することができる。  
なお、上下一対の突起１４及び孔部１３は、上下方向に対し所定間隔に隔てて配置されている。また、販売促進体１０の両側端部を支持する構造であれば、見本体２の両側縁部に形成される突起１４を一つにしてもよい。
【００５９】
図９は、見本体２の右側縁部に形成された係止孔１６に、販売促進体１０の右側端部に連設された支持片１０ｂの係止片１５を差し込んで取り付けるその他の取り付け構造を示す斜視図、図１０は、図９の販売促進体１０の取り付け状態を示す正面図である。
【００６０】
つまり、販売促進体１０の右側端部に連設された支持片１０ｂを後方に向けて直角に折り曲げ、該支持片１０ｂの端部に形成された係止片１５を、見本体２の右側縁部に沿って形成された縦長の係止孔１６に差し込んだ後、見本体２の裏面側へ折り返して係止する（図９のｃ部に示す拡大斜視図参照）。
【００６１】
これにより、正面から見て矩形の販売促進体１０が、半割り型見本１の右側前面に対し販売促進情報が印刷された表面側が正面向きとなるように取り付けられるので、前記実施例と略同等の作用及び効果を奏することができる。
【００６２】
また、係止片１５を係止孔１６から引き抜けば、販売促進体１０を、見本体２から簡単に分離することができ、販売促進体１０の取り付け作業及び交換作業が容易に行える。  
なお、係止孔１６は、前記真空成形装置によって見本体２を真空成形する際に、該見本体２の右側縁部に形成されている（図９のｃ部に示す拡大縦断面図参照）。
【００６３】
図１１は、図９の取り付け構造を利用して、半割り型見本１の中央前面に、見本体２の横幅と対応する長さに形成された販売促進体１０を取り付ける他の取り付け例を示す正面図である。
【００６４】
つまり、販売促進体１０の両側端部に連設された支持片１０ｂの係止片１５を、見本体２の両側縁部に沿って形成された縦長の係止孔１６に差し込んだ後、見本体２の裏面側へ折り返して係止する。
【００６５】
これにより、見本体２の横幅と対応する長さに形成された販売促進体１０が、半割り型見本１の中央前面に対し幅方向に取り付けられるので、前記実施例と略同等の作用及び効果を奏することができる。
【００６６】
図１２は、見本体２の右側縁部に形成された上下の係止段部１８に、販売促進体１０の右側端部に連設された支持片１０ｂの係止片１７を係止して取り付ける他の取り付け構造を示す斜視図、図１３は、図１２の販売促進体１０の取り付け状態を示す正面図である。
【００６７】
つまり、販売促進体１０の右側端部に連設された支持片１０ｂを後方に向けて直角に折り曲げ、該支持片１０ｂの側部に形成された係止片１７を、見本体２の右側縁部に形成された上下の係止段部１８間に差し込み、係止片１７の上下縁部を上下の係止段部１８に係止した後、係止片１７を、見本体２の裏面側へ折り返して抜止めする（図１２のｄ部に示す拡大斜視図参照）。
【００６８】
これにより、正面から見て矩形の販売促進体１０が、半割り型見本１の右側前面に対し販売促進情報が印刷された表面側が正面向きとなるように取り付けられるので、前記実施例と略同等の作用及び効果を奏することができる。
【００６９】
図１４は、図１２の取り付け構造を利用して、半割り型見本１の中央前面に、見本体２の横幅と対応する長さに形成された販売促進体１０を取り付ける他の取り付け構造を示す正面図である。
【００７０】
つまり、販売促進体１０の両側端部に連設された支持片１０ｂの係止片１７を、見本体２の両側縁部に形成された上下の係止段部１８に係止する。  
これにより、見本体２の横幅と対応する長さに形成された販売促進体１０が、半割り型見本１の中央前面に対し幅方向に取り付けられるので、前記実施例と略同等の作用及び効果を奏することができる。
【００７１】
図１５は、見本体２の右側縁部に形成された係止段部２０に、販売促進体１０の右側端部に連設された支持片１０ｂの係止片１９を係止して取り付ける他の取り付け構造を示す斜視図、図１６は、図１５の販売促進体１０の取り付け状態を示す正面図である。
【００７２】
つまり、販売促進体１０の右側端部に連設された支持片１０ｂを後方に向けて直角に折り曲げ、該支持片１０ｂの端部に形成されたフック形状の係止片１９を、見本体２の右側縁部に形成された凹状の係止段部２０に上方から係止する（図１５のｅ部に示す拡大斜視図参照）。
【００７３】
これにより、正面から見て矩形の販売促進体１０が、半割り型見本１の右側前面に対し販売促進情報が印刷された表面側が正面向きとなるように取り付けられるので、前記実施例と略同等の作用及び効果を奏することができる。
【００７４】
また、係止片を係止段部から抜き取れば、販売促進体１０を、見本体２から分離することができ、販売促進体１０の取り付け作業及び交換作業が容易に行える。
【００７５】
図１７は、図１５の取り付け構造を利用して、半割り型見本１の中央前面に、見本体２の横幅と対応する長さに形成された販売促進体１０を取り付ける他の取り付け構造を示す正面図である。
【００７６】
本例の販売促進体１０は、販売促進体１０の両側端部に連設された支持片１０ｂの係止片１９を、見本体２の両側縁部に形成された係止段部２０に係止する。  
これにより、見本体２の横幅と対応する長さに形成された販売促進体１０が、半割り型見本１の中央前面に対し幅方向に取り付けられるので、前記実施例と略同等の作用及び効果を奏することができる。
【００７７】
図１８は、見本体２の両側縁部に形成された係止溝２２に、販売促進体１０の両側端部に連設された支持片１０ｂの係止片２１を係止して取り付ける他の取り付け構造を示す斜視図である。
【００７８】
つまり、販売促進体１０の両側端部に連設された支持片１０ｂを後方に向けて直角に折り曲げ、該支持片１０ｂの端部に形成された係止片２１を、見本体２の両側縁部に沿って形成された縦長の係止溝２２に係止した後、見本体２の裏面側へ折り返して抜止めする（図１８のｆ部に示す拡大斜視図参照）。
【００７９】
これにより、見本体２の横幅と対応する長さに形成された販売促進体１０が、半割り型見本１の中央前面に対し幅方向に取り付けられるので、前記実施例と略同等の作用及び効果を奏することができる。
【００８０】
また、支持片１０ｂの係止片２１を係止溝１２ａから抜き取れば、販売促進体１０を、見本体２から簡単に分離することができ、販売促進体１０の取り付け作業及び交換作業が容易に行える。
【００８１】
図１９の（ｇ）は、見本体２の右側縁部に沿って販売促進体１０Ａを取り付ける他の取り付け例を示す斜視図、（ｈ）は、見本体２の背面部に沿って販売促進体１０Ｂを取り付ける他の取り付け例を示す斜視図である。
【００８２】
（ｇ）に示す販売促進体１０Ａは、正面から見て旗状に形成され、見本体２の右側縁部に、販売促進体１０Ａの販売促進情報が印刷された表示面が突出する大きさ及び形状に形成されている。  
つまり、見本体２の右側縁部に形成された支持部１２，１２間に、販売促進体１０Ａの下端側縁部に連設された差込み片１０ａを後方から前方に向けて差し込み、半割り型見本１の右側縁部に沿って起立した状態に取り付けるので、前記実施例と略同等の作用及び効果を奏することができる。
【００８３】
なお、支持部１２，１２を、見本体２の左側縁部に形成しておけば、販売促進体１０Ａを、半割り型見本１の左側縁部に沿って取り付けることができる。
【００８４】
（ｈ）に示す販売促進体１０Ｂは、見本体２の中央背面部より上側背面部が覆われるとともに、該見本体２の上端側より上方に、販売促進体１０Ｂの販売促進情報が印刷された表示面が突出する大きさ及び形状に形成されている。
【００８５】
つまり、見本体２の両側縁部に形成された支持部１２，１２間に、販売促進体１０Ｂの下端側両端部に連設された差込み片１０ａを後方から前方に向けて差し込み、半割り型見本１の背面部に沿って起立した状態に取り付けるので、前記実施例と略同等の作用及び効果を奏することができる。
【００８６】
また、（ｇ）、（ｈ）に示す販売促進体１０Ａ，１０Ｂを、図７〜図１７に示す取り付け構造を用いて半割り型見本１の側面或いは背面に取り付けてもよい。
【００８７】
図２０は、見本体２の上端側後縁部に形成された係止溝２４に、垂下型の販売促進体１０Ｃの上端側に連設された支持片１０ｃの係止片２３を係止して取り付ける他の取り付け構造を示す斜視図である。
【００８８】
つまり、販売促進体１０Ｃの上端側に連設された支持片１０ｃを後方に向けて直角に折り曲げ、該支持片１０ｃの端部に形成された係止片２３を、見本体２の上端側後縁部に沿って幅方向に形成された横長の係止溝２４に係止する。
【００８９】
また、図２１は、見本体２の上端側後縁部に形成された係止孔２６に、販売促進体１０Ｃの上端側に連設された支持片１０ｃの係止片２５を係止して取り付ける他の取り付け構造を示す斜視図である。
【００９０】
つまり、販売促進体１０Ｃの上端側に連設された支持片１０ｃの係止片２５を、見本体２の上端側後縁部に沿って幅方向に形成された横長の係止孔２６に差し込んだ後、見本体２の裏面側へ折り返して抜止めする。  
これにより、図２０、図２１に示す正面から見て略三角形状の販売促進体が、半割り型見本１の上側前面に対し垂れ下げられた状態に取り付けられるので、前記実施例と略同等の作用及び効果を奏することができる。
【００９１】
この発明の構成と、前記実施形態との対応において、  
この発明の販売促進体取付け部は、差込み片１０ａ、支持片１０ｂ，１０ｃ、支持部１２、孔部１３、突起１４、係止片１５，１７，１９，２１，２３，２５、係止孔１６，２６、係止段部１８，２０、係止溝２２，２４に対応するも、  
この発明は、上述の実施形態の構成のみに限定されるものではなく、請求項に示される技術思想に基づいて応用することができ、多くの実施の形態を得ることができる。
【００９２】
見本体２に、例えば差込み片、支持片、孔部、係止片等を設け、販売促進体１０，１０Ａ，１０Ｂ，１０Ｃに、例えば支持部、突起、係止孔、係止段部、係止溝等を設けてもよい。
【００９３】
また、実施例の取り付け構造を複数組み合わせてもよく、単一の取り付け構造のみで取り付けるよりも、販売促進体１０を確実且つ強固に取り付けることができる。また、販売促進体１０を複数組み合わせて取り付けてもよい。
【産業上の利用可能性】
【００９４】
本発明の半割り型見本の販売促進体取り付け構造は、例えば缶型、瓶型、ケース型等の容器と酷似する半割り型見本体に対しシート状の販売促進体を取り付ける際にも適用することができる。
【符号の説明】
【００９５】
Ａ…自動販売機
Ａａ…見本陳列部
Ａｂ…陳列パネル
Ａｃ…開口部
１…半割り型見本
２…見本体
３…挿入部
１０，１０Ａ，１０Ｂ，１０Ｃ…販売促進体
１０ａ…差込み片
１０ｂ，１０ｃ…支持片
１２…支持部
１３…孔部
１４…突起
１５，１７，１９，２１，２３，２５…係止片
１６，２６…係止孔
１８，２０…係止段部
２２，２４…係止溝
【図１】
0005455490.tif 000002
【図２】
0005455490.tif 000003
【図３】
0005455490.tif 000004
【図４】
0005455490.tif 000005
【図５】
0005455490.tif 000006
【図６】
0005455490.tif 000007
【図７】
0005455490.tif 000008
【図８】
0005455490.tif 000009
【図９】
0005455490.tif 000010
【図１０】
0005455490.tif 000011
【図１１】
0005455490.tif 000012
【図１２】
0005455490.tif 000013
【図１３】
0005455490.tif 000014
【図１４】
0005455490.tif 000015
【図１５】
0005455490.tif 000016
【図１６】
0005455490.tif 000017
【図１７】
0005455490.tif 000018
【図１８】
0005455490.tif 000019
【図１９】
0005455490.tif 000020
【図２０】
0005455490.tif 000021
【図２１】
0005455490.tif 000022